(57)【要約】【課題】本発明は光学レンズ分野に関し、レンズモジュールを提供する。【解決手段】本発明では、レンズモジュールは、鏡筒と、鏡筒の物体側に設けられる第１レンズと、第１レンズの物体側から第１レンズを鏡筒に押圧保持する固定部材とを含み、固定部材は、第１レンズを押圧保持する天壁と、天壁の外縁から像側へ延在して鏡筒の外縁に固定接続される側壁とを含み、天壁と側壁とは、収容空間を囲み、収容空間は、前記第１レンズの一部を収容し、固定部材には、天壁を貫通して収容空間に連通するスロットが開設され、スロット内にはコロイドが充填され、コロイドは、鏡筒を固定部材に接着固定する。本発明に係るレンズモジュールは、信頼性が高いメリットを有する。【選択図】図２
2020027278.tif 000002
【特許請求の範囲】
【請求項１】
鏡筒と、前記鏡筒の物体側に設けられる第１レンズと、前記第１レンズの物体側から前記第１レンズを前記鏡筒に押圧保持する固定部材とを含み、
前記固定部材は、前記第１レンズを押圧保持する天壁と、前記天壁の外縁から像側へ延在して前記鏡筒の外縁に固定接続される側壁とを含み、
前記天壁と前記側壁とは、収容空間を囲み、前記収容空間は、前記第１レンズの一部を収容し、
前記固定部材には、前記天壁を貫通して前記収容空間に連通するスロットが開設され、
前記スロット内には、コロイドが充填され、前記コロイドは、前記鏡筒を前記固定部材に接着固定する、ことを特徴とするレンズモジュール。
【請求項２】
前記スロットと前記天壁の外縁とは、互いに間隔をおいている、ことを特徴とする請求項１に記載のレンズモジュール。
【請求項３】
前記スロットは、前記天壁の外縁に接し、前記スロットは、前記側壁を貫通している、ことを特徴とする請求項１に記載のレンズモジュール。
【請求項４】
前記スロットの数は少なくとも２つである、ことを特徴とする請求項２または３に記載のレンズモジュール。
【請求項５】
前記スロットは、前記第１レンズの光軸の周りに等間隔で分布されている、ことを特徴とする請求項４に記載のレンズモジュール。
【請求項６】
前記固定部材は、ネジキャップであり、
前記側壁の内縁と前記鏡筒の外縁には、ネジが設けられ、
前記側壁と前記鏡筒とは、ネジを介して係合して固定される、ことを特徴とする請求項１に記載のレンズモジュール。
【請求項７】
前記鏡筒と前記第１レンズとの間には、シールリングが設けられている、ことを特徴とする請求項１に記載のレンズモジュール。
【請求項８】
前記鏡筒には、溝が開設され、前記シールリングは、前記溝内に収納されている、ことを特徴とする請求項７に記載のレンズモジュール。
【請求項９】
前記溝は、前記第１レンズの光軸の周りに環状をなす、ことを特徴とする請求項８に記載のレンズモジュール。
【請求項１０】
前記鏡筒内に設けられて前記第１レンズの像側に位置する少なくとも１つの第２レンズをさらに含む、ことを特徴とする請求項１に記載のレンズモジュール。
【発明の詳細な説明】
【技術分野】
【０００１】
本発明は、光学レンズ分野に関し、特に車載システムに用いられるレンズモジュールに関する。
【背景技術】
【０００２】
近年、科学技術の継続的な発展に伴い、レンズモジュールは継続的に小型化の方向へ発展し、レンズモジュールが配備された電子機器（例えば、デジタルカメラ、タブレットＰＣ、携帯電話など）に加えて、公衆が使用する交通手段であるバスもレンズモジュールが配備されており、それは車載レンズと呼ばれる。車載レンズは、一般的に、鏡筒、レンズなどの構造を有する。
【０００３】
本発明者らは、従来技術に少なくとも以下の課題が存在することを見出した。車載レンズが使用中において振動、摩擦、衝突などの外力作用を受けるのに起因して、車載レンズの信頼性が良くないため、どのように車載レンズの信頼性を向上するかは、早急に解決されるべき課題となっている。
【発明の概要】
【発明が解決しようとする課題】
【０００４】
本発明の目的は、信頼性が高いメリットを有するレンズモジュールを提供することにある。
【課題を解決するための手段】
【０００５】
上記技術問題を解決するために、本発明の実施形態は、レンズモジュールを提供し、当該レンズモジュールは、鏡筒と、鏡筒の物体側に設けられる第１レンズと、第１レンズの物体側から第１レンズを鏡筒に押圧保持する固定部材とを含み、固定部材は、第１レンズを押圧保持する天壁と、天壁の外縁から像側へ延在して鏡筒の外縁に固定接続される側壁とを含み、天壁と側壁とは、収容空間を囲み、収容空間は、前記第１レンズの一部を収容し、固定部材には、天壁を貫通して収容空間に連通するスロットが開設され、スロット内には、コロイドが充填され、コロイドは、鏡筒を固定部材に接着固定する。
【０００６】
従来技術と比べて、本発明の実施形態では、固定部材が天壁によって第１レンズの物体側から第１レンズを鏡筒に押圧保持するため、第１レンズと鏡筒との固定を実現することができ、同時に、固定部材の天壁と側壁とが収容空間を囲み、収容空間が物体側に隣接する鏡筒の一端を収容し、固定部材に開設されたスロットが天壁を貫通して収容空間に連通するため、スロットによって収容空間内に充填されるコロイドが第１レンズと固定部材との接続箇所および鏡筒と固定部材との接続箇所まで延在することができ、第１レンズと固定部材と鏡筒とを接着することで、第１レンズと固定部材との間、鏡筒と固定部材との間をより強固に固定し、レンズモジュール全体の信頼性を向上させる。
【０００７】
また、スロットと天壁の外縁とは、互いに間隔をおいている。
【０００８】
また、スロットは、天壁の外縁に接し、スロットは、側壁を貫通している。
【０００９】
また、スロットの数は、少なくとも２つである。このように、少なくとも２つのスロットから収容空間内にコロイドを充填可能にすることで、第１レンズと固定部材との間、鏡筒と固定部材との間の接着面積を広くし、第１レンズと固定部材との間、鏡筒と固定部材との間の接着力を大きくし、これによって、第１レンズと固定部材との間、鏡筒と固定部材との間をより強固に固定する。
【００１０】
また、スロットリングは、第１レンズの光軸の周りに等間隔で分布されている。これにより、第１レンズと固定部材との間、鏡筒と固定部材との間の接着力が均一に分布されて、レンズモジュールの安定性がさらに向上する。
【００１１】
また、固定部材は、ネジキャップであり、側壁と鏡筒とには、ネジが設けられ、側壁と鏡筒とはネジを介して係合して固定される。
【００１２】
また、鏡筒と第１レンズとの間には、シールリングが設けられている。鏡筒の外部の不純物がスロットから収容空間に入ってさらに鏡筒内に入るのを回避することができ、これによって、鏡筒内に収容される光学素子の性能に影響を与えるのを回避する。
【００１３】
また、鏡筒には、溝が開設され、シールリングは、溝内に収納されている。
【００１４】
また、溝は、第１レンズの光軸の周りに環状をなす。
【００１５】
また、鏡筒内に設けられ、第１レンズの像側に位置する少なくとも１つの第２レンズをさらに含む。
【図面の簡単な説明】
【００１６】
【図１】本発明の第１実施形態に係るレンズモジュールの模式的な斜視図である。
【図２】図１のＡ−Ａ線に沿う断面模式図である。
【図３】本発明の第２実施形態に係るレンズモジュールの模式的な斜視図である。
【図４】図３のＡ−Ａ線に沿う断面模式図。
【発明を実施するための形態】
【００１７】
本発明の目的、解決手段およびメリットがより明瞭になるように、以下、図面を参照しながら本発明の各実施形態を詳細に説明する。しかしながら、本発明の各実施形態において、本発明をよりよく理解するために、多くの技術詳細を述べることは、当業者には理解されることである。しかし、これらの技術詳細および以下の各実施形態に基づく様々な変更および修正がなくても、本発明の各請求項が保護請求する技術案も実現できる。
【００１８】
本発明の第１実施形態に係るレンズモジュール１００は、図１〜２に示すように、鏡筒１１と第１レンズ１２と固定部材１３とを含み、第１レンズ１２は、鏡筒１１の物体側に設けられ、固定部材１３は、第１レンズ１２の物体側から第１レンズ１２を鏡筒１１に押圧保持し、固定部材１３は、天壁１３１と側壁１３２とを含み、側壁１３２は、天壁１３１の外縁から像側へ延在し、天壁１３１は、第１レンズ１２を押圧保持し、側壁１３２は、鏡筒１１に固定接続され、天壁１３１と側壁１３２とは、収容空間１３０を囲み、収容空間１３０は、物体側に隣接する鏡筒１１の一端を収容し、固定部材１３にはスロット１３３が開設され、スロット１３３は、天壁１３１を貫通して収容空間１３０に連通し、スロット１３３内にはコロイドが充填され、コロイドは、第１レンズ１２および鏡筒１１を固定部材１３に接着固定する。
【００１９】
従来技術と比較して、本発明の実施形態では、固定部材１３が天壁１３１によって第１レンズ１２の物体側から第１レンズ１２を鏡筒１１に押圧保持することができるため、第１レンズ１２と鏡筒１１との固定を実現することができ、同時に、固定部材１３の天壁１３１と側壁１３２とが収容空間１３０を囲み、収容空間１３０が物体側に隣接する鏡筒１１の一端を収容し、固定部材１３に開設されたスロット１３３が貫通天壁１３１を貫通して収容空間１３０に連通するため、スロット１３３によって収容空間１３０に充填されるコロイドが第１レンズ１２と固定部材１３との接続箇所および鏡筒１１と固定部材１３との接続箇所まで延在することができ、第１レンズ１２と固定部材１３と鏡筒１１とを接着することで、第１レンズ１２と固定部材１３との間、鏡筒１１と固定部材１３との間をより強固に固定して、レンズモジュール１００全体の信頼性を向上させる。なお、レンズモジュールの組立時、固定部材に開設されたスロットにより治具を挿入できて、回転組立が容易となる。
【００２０】
なお、スロット１３３は、天壁１３１の外縁に接し、スロット１３３は、側壁１３２を貫通している。すなわち、スロット１３３が開通され、スロット１３３が天壁１３１の外縁から内縁方向に向かって開設されており、外縁が開孔されるので、コロイドの充填を容易にし、側壁１３２がコロイドの充填を邪魔するのを回避し、接着剤の充填作動効率を向上する。
【００２１】
説明すべきことは、スロット１３３の数が少なくとも２つである。このように、少なくとも２つのスロット１３３から収容空間１３０内にコロイドを充填できることで、第１レンズ１２と固定部材１３との間、鏡筒１１と固定部材１３との間の接着面積を広くし、第１レンズ１２と固定部材１３との間、鏡筒１１と固定部材１３との間の接着力を大きくし、これによって、第１レンズ１２と固定部材１３との間、鏡筒１１と固定部材１３との間の固定をより強固にする。
【００２２】
好ましくは、スロット１３３は、第１レンズ１１の光軸ＯＯ’の周りに等間隔で分布されている。このように、第１レンズ１２と固定部材１３との間、鏡筒１１と固定部材１３との間の接着力が均一に分布されて、レンズモジュール１００の安定性がさらに向上する。
【００２３】
本実施形態では、固定部材１３はネジキャップであり、側壁１３２と鏡筒１１にはネジが設けられ、側壁１３２と鏡筒１１とはネジを介して係合して固定される。本発明の他の実施形態では、側壁１３２と鏡筒１１との間は他の方式によって係合してもよく、例えば、鏡筒１１にバンプを設け、側壁１３２に溝を設けて、バンプを溝内に嵌めてもよく、何らの方式を問わず、側壁１３２を鏡筒１１に固定する限り、何れも本発明の保護範囲内にあることは、理解されるべきである。
【００２４】
なお、鏡筒１１と第１レンズ１２との間には、シールリング１４が設けられている。シールリング１４によって、鏡筒の外部の不純物（例えば、水、塵など）がスロット１３３から収容空間１３０に入ってさらに鏡筒１１内に入るのを防止することができ、これによって、鏡筒１１に収容される光学素子の性能に影響を与えるのを回避する。
【００２５】
本実施形態では、鏡筒１１には溝１１０が開設されており、シールリング１４が溝１１０内に収納されている。シールリングが溝のない平面に設けられているのと比較して、溝１１０は、外部の不純物の一部を容納することができ、外部の不純物に対してより良い阻止作用を奏することができ、不純物が鏡筒１１内に入るのをよりよく回避することができ、鏡筒１１内に収容される他の光学部品の性能には影響を与えない。
【００２６】
説明すべきことは、溝１１０は第１レンズ１２の光軸ＯＯ’の周りに環状をなす。溝１１０が環状をなすため、シールリング１４との協力が容易となり、外部の不純物が鏡筒１１内に入るのを全方位から回避することができる。
【００２７】
なお、本実施形態では、レンズモジュール１００は、鏡筒１１内に設けられて第１レンズ１２の像側に位置する第２レンズ１５をさらに含む。第２レンズ１５は、レンズ１５１、レンズ１５２、レンズ１５３、レンズ１５４とレンズ１５５を含む。レンズ１５１とレンズ１５２との間には第１遮光シート１６１が設けられ、レンズ１５２とレンズ１５３との間には第１ワッシャ１７１と第２遮光シート１６２とが設けられ、第１ワッシャ１７１が第２遮光シート１６２の物体側に位置し、レンズ１５４とレンズ１５５との間には第３遮光シート１６３が設けられ、レンズ１５５の像側には第２ワッシャ１７２とフィルタ１８とが設けられ、第２ワッシャ１７２は、フィルタ１８の物体側に位置する。
【００２８】
本発明の第２実施形態に係るレンズモジュール２００は、図３〜４に示すように、鏡筒２１と固定部材２３と第１レンズ２２とワッシャ２４と第２レンズ２５とを含み、第２レンズ２５は、レンズ２５１、レンズ２５２、レンズ２５３、レンズ２５４、レンズ２５５を含み、レンズ２５１とレンズ２５２との間には第１遮光シート２６１が設けられ、レンズ２５２とレンズ２５３との間には第１ワッシャ２７１と第２遮光シート２６２とが設けられ、第１ワッシャ２７１が第２遮光シート２６２の物体側に位置し、レンズ２５４とレンズ２５５との間には第３遮光シート２６３が設けられ、レンズ２５５の像側には第２ワッシャ２７２とフィルタ２８とが設けられ、第２ワッシャ２７２がフィルタ２８の物体側に位置する。第２実施形態は第１実施形態とほぼ同じであり、主な相違点は、第１実施形態では、スロット１３３が天壁１３１の外縁に接し、スロット１３３が側壁１３２を貫通しているのに対し、本発明の第２実施形態では、スロット２３３と天壁２３１の外縁とが互いに間隔をおいている、ということにある。
【００２９】
本実施形態では、スロット２３３と天壁２３１の外縁とが互いに間隔をおいており、側壁２３２がスロット２３３に貫通されていない。すなわち、スロット２３３が開通されず、天壁２３１の外縁が開孔されず、スロットが天壁２３１の外縁と内縁との間に位置し、このように、天壁２３１の外縁が開孔されるのと比較して、スロット２３３が固定部材２３の構造強度に与える悪影響を低減することができるだけでなく、接着剤の充填時に天壁２３１の外縁を用いて接着剤に対して阻止作用を奏することができ、接着剤が天壁２３１の外縁から流出するのを回避し、接着剤の無駄遣いを低減することができる。
【００３０】
上記各実施形態は、本発明を実現する具体的な実施例であり、実際の適用において、本発明の精神および範囲を逸脱することなく、形態および詳細において様々な変更がなされ得ることは、当業者には理解され得る。
【図１】
2020027278.tif 000003
【図２】
2020027278.tif 000004
【図３】
2020027278.tif 000005
【図４】
2020027278.tif 000006